(57)【要約】【課題】  無停電で交換可能で、交換作業が容易な電力量計を提供する。【解決手段】  端子台２と、端子台２に着脱可能に取り付けられるとともに、電力を積算計量する積算計量回路１７が設けられた電力量計本体１５とを備える。端子台２には、入力端子５ａ、５ｂ、５ｃと、出力端子６ａ、６ｂ、６ｃと、それらの間を開閉する開閉部７とが設けられる。電力量計本体１５には、積算計量回路１７に接続されるとともに、開閉部７を開閉させる起動部２０が設けられる。電力量計本体１５を端子台２へ取り付けたときに、起動部２０によって開閉部７が開かれ、入力端子５ａ、５ｂ、５ｃ及び出力端子６ａ、６ｂ、６ｃが積算計量回路１７に接続される。電力量計本体１５を端子台２から取り外したときに、起動部２０によって開閉部７が閉じられ、入力端子５ａ、５ｂ、５ｃと出力端子６ａ、６ｂ、６ｃとの間が閉じられる。【選択図】        図１
2012154850.tif 000002
【特許請求の範囲】
【請求項１】
端子台と、該端子台に着脱可能に取り付けられるとともに、内部に電力を積算計量する積算計量回路が設けられた電力量計本体とを備え、
前記端子台には、電源側配電線が接続される入力端子と、負荷側配電線が接続される出力端子と、前記入力端子と前記出力端子との間を開閉する開閉部とが設けられ、
前記電力量計本体には、前記積算計量回路に接続されるとともに、前記開閉部を開閉させる起動部が設けられ、
前記電力量計本体を前記端子台へ取り付けたときに、前記起動部によって前記開閉部が開かれて、前記入力端子及び前記出力端子が前記積算計量回路に接続され、前記電力量計本体を前記端子台から取り外したときに、前記起動部によって前記開閉部が閉じられて、前記入力端子と前記出力端子との間が閉じられることを特徴とする電力量計。
【請求項２】
前記起動部は、前記開閉部に挿脱可能に構成されるとともに、前記積算計量回路に接続される接触子を備え、
前記起動部を前記開閉部に挿入させることにより、前記接触子が前記入力端子と前記出力端子との間に接触され、前記起動部を前記開閉部から離脱させることにより、前記接触子が前記入力端子と前記出力端子との間から離脱されることを特徴とする請求項１に記載の電力量計。
【請求項３】
前記端子台には、前記入力端子と前記開閉部との間を遮断する遮断部と、前記電力量計本体を前記端子台から取り外した後一定時間経過後に前記遮断部を作動させて、前記入力端子と前記開閉部との間を遮断させる時限タイマーとが設けられていることを特徴とする請求項１又は２に記載の電力量計。
【請求項４】
前記端子台には、前記電力量計本体を前記端子台から取り外したときに、前記時限タイマーを作動させ、前記電力量計本体を前記端子台に取り付けたときに、前記時限タイマーの作動を停止させるロック手段が設けられていることを特徴とする請求項３に記載の電力量計。
【請求項５】
前記ロック手段は、前記端子台に設けられる錠と、前記電力量計本体に設けられるとともに、前記錠と抜き差し可能な鍵とからなるマグネットキーであることを特徴とする請求項４に記載の電力量計。
【発明の詳細な説明】
【技術分野】
【０００１】
本発明は、電力量計に関し、特に、無停電での交換が可能であるとともに、着脱が容易な電力量計に関する。
【背景技術】
【０００２】
一般家庭等の電路系統で使用した電力量を測定し、測定した電力量に応じて課金等するために、誘導形電力量計、静止形電力量計等の各種の電力量計（積算電力量計ともいう。）が使用されている。
【０００３】
上記のような目的で使用される電力量計は、耐用年数を超えた場合や故障した場合等に新しいものと交換する必要があるが、交換作業の際に、作業者の安全を確保する必要があるため、対象の電路系統を停電させて作業を行う必要があり、交換作業が完了するまでの間、電気を利用できない不便さがある。
【０００４】
また、対象の電路系統を停電させた後に、電力量計側から電源側配電線及び負荷側配電線を外し、電力量計を新しいものと交換した後に、電力量計側に電源側配電線及び負荷側配電線を接続し直す必要あり、その作業に非常に手間がかかる。
【０００５】
上記のような問題に対処するために、特許文献１、２等に記載されているように、対象の電路系統を停電させずに通電したままの状態での電力量計の交換作業を可能にした各種の方法が提案されている。
【０００６】
特許文献１に記載の方法は、電力量計側の端子盤に端子盤本体を接続し、この端子盤本体に通電カセットとバイパス用の短絡カセットとを着脱自在に嵌合させるように構成したものである。
【０００７】
特許文献１に記載の方法によれば、電力量計の交換の際に、短絡カセットを端子盤本体に嵌合させて、回動カムを介して通電カセットを端子盤本体から押し出すことにより、通電カセットと電力量計側端子盤との通電を停止させることができるとともに、短絡カセットのバイパス回路によって通電状態を維持することができるので、対象の電路系統を停電させることなく電力量計の交換作業を行うことができるというものである。
【０００８】
また、特許文献２に記載の方法は、配電線と電力量計との接続に用いられる据置端子の改良に関するものであって、配電線が接続される棒形圧着端子の圧着部を、計器（電力量計）の交換作業を行うための短絡装置としての接続部として用いることにより、対象の電路系統を停電させることなく、計器（電力量計）の交換を行うことができるというものである。
【先行技術文献】
【特許文献】
【０００９】
【特許文献１】特開平７−２４８３４３号公報
【特許文献２】特開２０１０−１３５０７８号公報
【発明の概要】
【発明が解決しようとする課題】
【００１０】
しかし、特許文献１、２に記載の方法は、無停電で電力量計の交換を行うことができるものの、電力量計側から電源側配電線及び負荷側配電線を外す作業、電力量計を新しいものと交換する作業、電力量計側に電源側配電線及び負荷側配電線を接続し直す作業等の作業が必要になり、それらの作業に非常に手間がかかる。
【００１１】
本発明は、上記のような従来の問題に鑑みなされたものであって、電路系統を停電させることなく交換することができるとともに、交換に要する時間を大幅に短縮することができる電力量計を提供することを目的とする。
【課題を解決するための手段】
【００１２】
上記のような課題を解決するために、本発明は、以下のような手段を採用している。
すなわち、本発明は、端子台と、該端子台に着脱可能に取り付けられるとともに、内部に電力を積算計量する積算計量回路が設けられた電力量計本体とを備え、前記端子台には、電源側配電線が接続される入力端子と、負荷側配電線が接続される出力端子と、前記入力端子と前記出力端子との間を開閉する開閉部とが設けられ、前記電力量計本体には、前記積算計量回路に接続されるとともに、前記開閉部を開閉させる起動部が設けられ、前記電力量計本体を前記端子台へ取り付けたときに、前記起動部によって前記開閉部が開かれて、前記入力端子及び前記出力端子が前記積算計量回路に接続され、前記電力量計本体を前記端子台から取り外したときに、前記起動部によって前記開閉部が閉じられて、前記入力端子と前記出力端子との間が閉じられることを特徴とする。
【００１３】
本発明の電力量計によれば、端子台に電力量計本体を取り付けることにより、電力量計本体の起動部によって端子台の開閉部が開かれ、端子台の入力端子及び出力端子が積算軽量回路に接続され、電力量計が使用可能な状態となる。また、端子台から電力量計本体を取り外すことにより、端子台の開閉部が閉じられ、端子台の入力端子と出力端子とが閉じられることになる。従って、電力量計本体を端子台へ着脱させて、電力量本体の起動部によって端子台側の開閉部を開閉させることにより、電力量計を電源側配電線と負荷側配電線との間に接続し、又は取り外すことができるので、電力量計の交換作業を容易に行うことができる。
【００１４】
また、本発明において、前記起動部は、前記開閉部に挿脱可能に構成されるとともに、前記積算計量回路に接続される接触子を備え、前記起動部を前記開閉部に挿入させることにより、前記接触子が前記入力端子と前記出力端子との間に接触され、前記起動部を前記開閉部から離脱させることにより、前記接触子が前記入力端子と前記出力端子との間から離脱されることとしてもよい。
【００１５】
本発明の電力量計によれば、電力量計本体を端子台に取り付けることにより、電力量計本体の起動部が端子台の開閉部に挿入されて、起動部の接触子が端子台の入力端子と出力端子との間に接続される。また、電力量計本体を端子台から取り外すことにより、電力量計本体の起動部が端子部の開閉部から離脱され、起動部の接触子が端子台の入力端子と出力端子との間から離脱し、入力端子と出力端子との間が開閉部を介して閉じられることになる。
【００１６】
さらに、本発明において、前記端子台には、前記入力端子と前記開閉部との間を遮断する遮断部と、前記電力量計本体を前記端子台から取り外した後一定時間経過後に前記遮断部を作動させて、前記入力端子と前記開閉部との間を遮断させる時限タイマーとが設けられていることとしてもよい。
【００１７】
本発明の電力量計によれば、電力量計本体を端子台から取り外すことにより、時限タイマーが作動し、一定時間経過後に遮断部が作動し、入力端子と開閉部との間が遮断されることになる。従って、電力量本体を端子台から取り外した状態では、電源側配電線が接続される入力端子と負荷側配電線が接続される出力端子との間を閉じた状態に保つことができないので、盗電を防止することが可能となる。
【００１８】
さらに、本発明において、前記端子台には、前記電力量計本体を前記端子台から取り外したときに、前記時限タイマーを作動させ、前記電力量計本体を前記端子台に取り付けたときに、前記時限タイマーの作動を停止させるロック手段が設けられていることとしてもよい。
【００１９】
本発明の電力量計によれば、端子台から電力量計本体を取り外すことにより、時限タイマーが作動し、ロック手段により時限タイマーが作動した状態にロックされ、端子台へ電力量計本体を取り付けることにより、ロック手段によるロック状態が解除されて、時限タイマーの作動が停止されることになる。
【００２０】
さらに、本発明において、前記ロック手段は、前記端子台に設けられる錠と、前記電力量計本体に設けられるとともに、前記錠と抜き差し可能な鍵とからなるマグネットキーであることとしてもよい。
【００２１】
本発明の電力量計によれば、電力量計本体を端子台に取り付けて、電力量本体側の鍵を端子台側の錠に差し込むことにより、時限タイマーの作動が停止され、電力量計本体を端子台から取り外して、電力本体側の鍵を端子台側の錠から抜き出すことにより、時限タイマーが作動し、一定時間経過後に遮断部が作動し、電源側配電線が接続される入力端子と開閉部との間が遮断されることになる。
【発明の効果】
【００２２】
以上、説明したように、本発明の電力量計によれば、電力量計本体を端子台に着脱させることにより、電力量計本体側の起動部で端子台側の開閉部を開閉させることにより、端子台側の電源側配電線が接続される入力端子と負荷側配電線が接続される出力端子との間に電力量計本体側の積算計量回路を接続させ、又は接続状態を解除させることができるので、電力量計の交換作業を容易に行うことができる。また、電力量計本体を端子台から取り外した後、一定時間内に電力計本体を端子台に取り付けないと、時限タイマーが作動して遮断部が作動し、電源側配電線が接続される入力端子と開閉部との間が遮断されることになるので、盗電を防止することが可能となる。
【図面の簡単な説明】
【００２３】
【図１】本発明による電力量計の一実施の形態を示した概略図であって、電力量計本体を端子台から取り外した状態を示した説明図である。
【図２】図１の遮断部と時限タイマーとの関係を示した説明図である。
【図３】図１の電力量計本体を端子台に取り付けた状態を示した説明図である。
【図４】電力量計本体の起動部と端子台の開閉部との関係を示した説明図であって、起動部が開閉部から離脱した状態を示した説明図である。
【図５】起動部が開閉部に挿入された初期の段階を示した説明図である。
【図６】起動部が開閉部に完全に挿入された状態を示した説明図である。
【図７】電力量計本体の積算計量回路を示した説明図である。
【発明を実施するための形態】
【００２４】
以下、図面を参照しながら、本発明の実施の形態について説明する。
図１〜図７には、本発明による電力量計の一実施の形態が示されている。本実施の形態の電力量計（積算電力量計ともいう。）は、一般家庭等の電路系統で使用した電力量を測定し、測定した電力量に応じて課金等するために用いられるものであって、単相２線式、単相３線式、三相３線式、三相４線式等の各種の配線方式に適用可能なものである。なお、本実施の形態においては、単相３線式、三相３線式の配線方式に適用している。
【００２５】
すなわち、本実施の形態の電力量計１は、例えば、建物の外壁面３５にねじ等によって取り付けられるとともに、電源側配電線４０ａ、４０ｂ、４０ｃ及び負荷側配電線４１ａ、４１ｂ、４１ｃが接続される端子台２と、端子台２に着脱可能に取り付けられる電力量計本体１５とを備えている。
【００２６】
端子台２は、直方体状をなすものをなす基台３と、基台３に設けられる電源側配電線４０ａ、４０ｂ、４０ｃが接続される入力端子５ａ、５ｂ、５ｃと、負荷側配電線４１ａ、４１ｂ、４１ｃが接続される出力端子６ａ、６ｂ、６ｃと、入力端子５ａ、５ｂ、５ｃと出力端子６ａ、６ｂ、６ｃとの間を開閉する開閉部７と、入力端子５ａ、５ｂ、５ｃと開閉部７との間を接続する入力側配線１２ａ、１２ｂ、１２ｃと、出力端子６ａ、６ｂ、６ｃと開閉部７との間を接続する出力側配線１３ａ、１３ｂ、１３ｃと、入力側配線１２ａ、１２ｂ、１２ｃの途中に設けられる遮断部２６とを備えている。
【００２７】
基台３には、表面側が開口する所定の形状、大きさ、深さの凹部４が設けられ、この凹部４の内部に開閉部７が設けられ、この凹部４内に電力量計本体１５の後述する起動部２０が挿脱可能に構成されている。
【００２８】
開閉部７は、入力側配線１２ａ、１２ｂ、１２ｃに接続される入力側接触子８ａ、８ｂ、８ｃと、出力側配線１３ａ、１３ｂ、１３ｃに接続される出力側接触子１０ａ、１０ｂ、１０ｃとから構成されている。入力側接触子８ａ、８ｂ、８ｃ及び出力側接触子１０ａ、１０ｂ、１０ｃは、弾性を有する導電材から形成されている。
【００２９】
入力側接触子８ａ、８ｂ、８ｃ及び出力側接触子１０ａ、１０ｂ、１０ｃは、入力側配線１２ａ、１２ｂ、１２ｃ及び出力側配線１３ａ、１３ｂ、１３ｃとの接続部を基端として、基端から先端に向けてそれぞれ３段に折り曲げられ、先端側の１段目９ａ、１１ａが中央で更にＶ状に折り曲げられて、Ｖ状の部分の頂部同士が互いに接触されて導通され、１段目９ａ、１１ａに連続する２段目９ｂ、１１ｂが互いに平行をなすように対向され、２段目９ｂ、１１ｂに連続する３段目９ｃ、１１ｃが２段目９ｂ、１１ｂから離れるに従って順次相手方から離れるように対向されている。
【００３０】
開閉部７は、図１、図４、及び図５に示すように、電力量計本体１５を端子台２から取り外したときに閉じた状態となり、入力端子５ａ、５ｂ、５ｃと出力端子６ａ、６ｂ、６ｃとの間が開閉部７を介して閉じた状態となる。つまり、図４に拡大して示すように、入力側接触子８ａ、８ｂ、８ｃの１段目９ａと出力側接触子１０ａ、１０ｂ、１０ｃの１段目１１ａの頂部同士が互いに接触して導通した状態となり、入力端子５ａ、５ｂ、５ｃと出力端子６ａ、６ｂ、６ｃとの間が、入力側配線１２ａ１２ｂ１２ｃ、開閉部７の入力側接触子８ａ、８ｂ、８ｃ、出力側接触子１０ａ、１０ｂ、１０ｃ、及び出力側配線１３ａ、１３ｂ、１３ｃを介して導通した状態となる。
【００３１】
また、開閉部７は、図３及び図６に示すように、電力量計本体１５を端子台２に取り付けたときに開いた状態となり、入力端子５ａ、５ｂ、５ｃと出力端子６ａ、６ｂ、６ｃとの間が開閉部７を介して開いた状態となる。つまり、図６に拡大して示すように、入力側接触子８ａ、８ｂ、８ｃの１段目９ａと出力側接触子１０ａ、１０ｂ、１０ｃの１段目１１ａの頂部同士が互いに離れた状態となり、入力端子５ａ、５ｂ、５ｃと出力端子６ａ、６ｂ、６ｃとの間に、入力側配線１２ａ、１２ｂ、１２ｃ、入力側接触子８ａ、８ｂ、８ｃ、電力量計本体１５の後述する起動部２０、出力側接触子１０ａ、１０ｂ、１０ｃ、
及び出力側配線１３ａ、１３ｂ、１３ｃを介して積算計量回路１７が接続され、電力量計１が使用可能な状態となる。
【００３２】
電力量計本体１５は、直方体状の基台１６と、基台１６の内部に設けられる積算計量回路１７と、基台１６の裏面側に突出した状態で設けられる起動部２０と、起動部２０に設けられるとともに、積算計量回路１７の入力端子１８ａ、１８ｂ、１８ｃに接続される入力側接触子２１ａ、２１ｂ、２１ｃと、起動部２０に設けられるとともに、積算計量回路１７の出力端子１９ａ、１９ｂ、１９ｃに接続される出力側接触子２２ａ、２２ｂ、２２ｃとから構成されている。
【００３３】
起動部２０は、端子台２の凹部４内に挿脱可能、かつ、挿入時に凹部４内の開閉部７の入力側接触子８ａ、８ｂ、８ｃと出力側接触子１０ａ、１０ｂ、１０ｃとの間に嵌合されて、入力側接触子８ａ、８ｂ、８ｃと出力側接触子１０ａ、１０ｂ、１０ｃとの間を押し広げ可能な形状、大きさ、高さに形成されている。本実施の形態においては、起動部２０は、先端部がテーパ面の角柱状或いは円柱状に形成され、この起動部２０の外面に沿うように、入力側接触子２１ａ、２１ｂ、２１ｃ及び出力側接触子２２ａ、２２ｂ、２２ｃが設けられている。
【００３４】
電力量計本体１５を端子台２に取り付け、基台１６の裏面側の起動部２０を端子台２の基台３の表面側の凹部４内に挿入させることにより、起動部２０が開閉部７の入力側接触子８ａ、８ｂ、８ｃと出力側接触子１０ａ、１０ｂ、１０ｃとの間に嵌合されて、入力側接触子８ａ、８ｂ、８ｃと出力側接触子１０ａ、１０ｂ、１０ｃとの間が押し広げられ、入力側接触子８ａ、８ｂ、８ｃの１段目９ａと出力側接触子１０ａ、１０ｂ、１０ｃの１段目１１ａの頂部同士が互いに離れた状態となり、開閉部７が開かれた状態となる。これにより、起動部２０の入力側接触子２１ａ、２１ｂ、２１ｃが開閉部７の入力側接触子８ａ、８ｂ、８ｃに接触し、起動部２０の出力側接触子２２ａ、２２ｂ、２２ｃが開閉部７の出力側接触子１０ａ、１０ｂ、１０ｃに接触し、端子台２の入力端子５ａ、５ｂ、５ｃと出力端子６ａ、６ｂ、６ｃとの間に電力量計本体１５の積算計量回路１７が接続される。
【００３５】
基台３には、電力量計本体１５を基台３から取り外し、開閉部７の入力側接触子８ａ、８ｂ、８ｃと出力側接触子１０ａ、１０ｂ、１０ｃの１段目９ａ、１１ａ同士が互いに接触し、入力端子５ａ、５ｂ、５ｃと出力端子６ａ、６ｂ、６ｃとの間が開閉部７を介して閉じられた後、一定時間経過後に遮断部２６によって入力端子５ａ、５ｂ、５ｃと開閉部７との間を遮断する時限タイマー２５が設けられている。
【００３６】
時限タイマー２５は、電力量計本体１５を基台３に取り付け、起動部２０を凹部４内に挿入させて、開閉部７の入力側接触子８ａ、８ｂ、８ｃと出力側接触子１０ａ、１０ｂ、１０ｃの１段目９ａ、１１ａ同士を互いに離間させることにより、作動が停止されて遮断部２６による入力端子５ａ、５ｂ、５ｃと開閉部７との間の遮断状態が解除される。
【００３７】
端子台２には、時限タイマー２５の作動をロックするロック手段３０が設けられている。ロック手段３０は、電力量計本体１５を端子台２に取り付け、電力量計本体１５の起動部２０を端子台２の凹部４内に挿入させて、端子台２の開閉部７が開になったときに、ロックが解除されて時限タイマー２５の作動を停止させる。また、電力量計本体１５を端子台２から取り外し、電力量計本体１５の起動部２０を端子台２の凹部４内から離脱させて、端子台２の開閉部７が閉になったときに、時限タイマー２５を作動した状態にロックする。
【００３８】
ロック手段３０としては、端子台２側に設けられる錠３１と、電力量計本体１５側に設けられるとともに、端子台２側の錠３１と抜き差し可能な鍵３２とからなるマグネットキー等、各種のロック機構を備えたものを使用することができる。
【００３９】
そして、上記のように構成した電力量計１を耐用年数の経過や故障等によって新しいものと交換するには、端子台２から電力量計本体１５を取り外し、電力量計本体１５の起動部２０を端子台２の凹部４から離脱させ、開閉部７を閉じた状態とする。
【００４０】
これにより、開閉部７の入力側接触子８ａ、８ｂ、８ｃの１段目９ａと出力側接触子１０ａ、１０ｂ、１０ｃの１段目１１ａとが互いに接触し、入力端子５ａ、５ｂ、５ｃと出力端子６ａ、６ｂ、６ｃとの間が開閉部７の入力側接触子８ａ、８ｂ、８ｃ及び出力側接触子１０ａ、１０ｂ、１０ｃを介して導通した状態となり、電源側配電線４０ａ、４０ｂ、４０ｂと負荷側配電線４１ａ、４１ｂ、４１ｂとの間を通電した状態に保持することができる。
【００４１】
この場合、電力量計本体１５を端子台２から取り外すことにより、ロック手段３０の端子台２側の錠３１から電力量計本体１５側の鍵３２が抜き出され、ロック手段３０により時限タイマー２５が作動した状態にロックされ、時限タイマー２５の設定された時間後に遮断部２６が作動し、入力端子５ａ、５ｂ、５ｃと開閉部７との間が遮断され、電源側配電線４０ａ、４０ｂ、４０ｂと負荷側配電線４１ａ、４１ｂ、４１ｂとの間の通電状態が解除される。これにより、盗電が防止される。
【００４２】
そして、電力量計本体１５を端子台２から取り外した後に、新しい電力量計本体１５を端子台２に取り付け、この電力量計本体１５の起動部２０を端子台２の凹部４内に挿入させ、起動部２０を凹部４内の開閉部７の入力側接触子８ａ、８ｂ、８ｃと出力側接触子１０ａ、１０ｂ、１０ｃとの間に挿入させてそれらの間を押し広げ、開閉部７を開いた状態とする。
【００４３】
これにより、開閉部７の入力側接触子８ａ、８ｂ、８ｃと出力側接触子１０ａ、１０ｂ、１０ｃの１段目９ａ、１１ａ間が互いに離間した状態となり、この状態で起動部２０側の入力側接触子２１ａ、２１ｂ、２１ｃ及び出力側接触子２２ａ、２２ｂ、２２ｃが開閉部７側の入力側接触子８ａ、８ｂ、８ｃ及び出力側接触子１０ａ、１０ｂ、１０ｃの２段目９ｂ、１１ｂと３段目９ｃ、１１ｃとの境界部に接触して導通した状態となり、電源側配電線４０ａ、４０ｂ、４０ｂと負荷側配電線４１ａ、４１ｂ、４１ｂとの間に電力量計本体１５側の積算計量回路１７が接続され、電力量計１が使用可能な状態となる。
【００４４】
この場合、ロック手段３０の電力量計本体１５側の鍵３２が端子台２側の錠３１に差し込まれることによりロックが解除されて、時限タイマー２５が不作動状態となり、遮断部２６が不作動状態となり、入力端子と５ａ、５ｂ、５ｃ開閉部７との間が接続された状態に保持される。
【００４５】
上記のように構成した本実施の形態の電力量計１にあっては、電力量計本体１５を端子台２から取り外して、電力量計本体１５側の起動部２０を端子台２側の凹部４から離脱させて、端子台２側の開閉部７を閉じた状態とし、電力量計本体１５を新品と交換した後に端子台２に取り付けて、電力量計本体１５側の起動部２０を端子台２側の凹部４内に挿入させて、端子台２側の開閉部７を開いた状態とすることにより、電力量計１を新しいものと交換することができる。
【００４６】
従って、電源側配電線４０ａ、４０ｂ、４０ｂ、及び負荷側配電線４１ａ、４１ｂ、４１ｂを電力量計１側から取り外して、電力量計１を取り付けた後に接続し直す作業等が不要となるので、電力量計１の交換作業を容易に短時間で行うことができる。
【００４７】
また、端子台２から電力量計本体１５を取り外しても、端子台２の開閉部７が閉じた状態となることにより、電源側配電線４０ａ、４０ｂ、４０ｂが接続される入力端子５ａ、５ｂ、５ｃと負荷側配電線４１ａ、４１ｂ、４１ｂが接続される出力端子６ａ、６ｂ、６ｃとの間を閉じた状態とすることができるので通電状態を保持することができ、対象の電路系統を停電させることなく、電力量計１の交換作業を行うことができる。
【００４８】
さらに、電力量計本体１５を端子台２から取り外した後、一定時間経過後に時限タイマー２５を作動させて、端子台２側の入力端子５ａ、５ｂ、５ｃ  と開閉部７との間の遮断部２６を遮断するように構成したので、電力量計本体１５を端子台２から取り外した状態のままで通電状態を維持することが不可能となり、盗電を防止することができる。
【００４９】
さらに、電力量計１を交換する場合に、端子台２を建物の外壁面３５に取り付けたままの状態で、端子台２に電力量計本体１５を取り付けて、電力量計本体１５の起動部２０を端子台２側の凹部４内に挿入させればよいので、専門的な知識がなくても交換することができる。従って、将来的に電力が自由化されて、需要家が自由に電力会社を選択できるようになった場合に、需要家が選択した電力会社から電力量計本体１５を宅配便等によって受け取り、需要家自身で取り付け、取り外し作業を行うことが可能となるので、需要家の費用の負担を軽減させることができるとともに、電力会社の経費を削減することもできる。
【符号の説明】
【００５０】
１  電力量計
２  端子台
３  基台
４  凹部
５ａ、５ｂ、５ｃ  入力端子
６ａ、６ｂ、６ｃ  出力端子
７  開閉部
８ａ、８ｂ、８ｃ  入力側接触子
９ａ  １段目
９ｂ  ２段目
９ｃ  ３段目
１０ａ、１０ｂ、１０ｃ  出力側接触子
１１ａ  １段目
１１ｂ  ２段目
１１ｃ  ３段目
１２ａ、１２ｂ、１２ｃ  入力側配線
１３ａ、１３ｂ、１３ｃ  出力側配線
１５  電力量計本体
１６  基台
１７  積算計量回路
１８ａ、１８ｂ、１８ｃ  入力端子
１９ａ、１９ｂ、１９ｃ  出力端子
２０  起動部
２１ａ、２１ｂ、２１ｃ  入力側接触子
２２ａ、２２ｂ、２２ｃ  出力側接触子
２５  時限タイマー
２６  遮断部
３０  ロック手段（マグネットキー）
３１  錠
３２  鍵
３５  外壁面
４０ａ、４０ｂ、４０ｃ  電源側配電線
４１ａ、４１ｂ、４１ｃ  負荷側配電線
【図１】
2012154850.tif 000003
【図２】
2012154850.tif 000004
【図３】
2012154850.tif 000005
【図４】
2012154850.tif 000006
【図５】
2012154850.tif 000007
【図６】
2012154850.tif 000008
【図７】
2012154850.tif 000009